(57)【要約】【課題】短絡防止部材の紛失を防止することができ、短絡防止部材によって放電端子の短絡を防止することができる電池収納ケースを提供する。【解決手段】電池収納ケース１００は、一面が開放面となっており、電池を収納するケース本体１と、ケース本体１に収納された電池からの電力を電子機器に供給するための放電端子３を有し、開放面を覆う蓋２とを有する。端子カバー４は、蓋２に取り付けられ、放電端子３を露出させる第１の状態と、放電端子３を覆う第２の状態とを選択的に切り替えられる。第１の状態のとき、端子カバー４は収納部２１に収納される。【選択図】図１
2012227100.tif 000002
【特許請求の範囲】
【請求項１】
一面が開放面となっており、電池を収納するケース本体と、
前記ケース本体に収納された電池からの電力を電子機器に供給するための放電端子を有するとともに、前記開放面を覆う蓋と、
前記蓋に取り付けられ、前記放電端子を露出させる第１の状態と、前記放電端子を覆う第２の状態とを選択的に切り替える端子カバーと、
を備えることを特徴とする電池収納ケース。
【請求項２】
前記蓋は、前記端子カバーを収納する所定深さの凹部よりなる収納部を有し、
前記収納部は、前記第１の状態のとき前記端子カバーを収納する
ことを特徴とする請求項１記載の電池収納ケース。
【請求項３】
前記第１の状態のとき、前記端子カバーの上端面は前記収納部の上端よりも突出していることを特徴とする請求項２記載の電池収納ケース。
【請求項４】
前記第１の状態のとき前記端子カバーにおける前記収納部の底面と対向する面とは反対側の面に第１の凸部が形成されており、
前記第１の凸部の上端面が前記収納部の上端よりも突出していることを特徴とする請求項３記載の電池収納ケース。
【請求項５】
前記蓋に前記第１の凸部を収納するための第１の凹部が形成されており、
前記第２の状態のとき、前記第１の凸部は前記第１の凹部に収納されることを特徴とする請求項４記載の電池収納ケース。
【請求項６】
前記第１の状態のとき前記端子カバーにおける前記収納部の底面と対向する面に第２の凸部が形成されており、
前記収納部の底面には前記第２の凸部を収納する第２の凹部が形成されており、
前記第１の状態のとき、前記第２の凸部は前記第２の凹部に収納されることを特徴とする請求項４または５に記載の電池収納ケース。
【発明の詳細な説明】
【技術分野】
【０００１】
本発明は、乾電池または蓄電池である電池を収納する電池収納ケースに係り、特に、放電端子の短絡を防止する構造を採用した電池収納ケースに関する。
【背景技術】
【０００２】
１または複数の電池を収納した電池収納ケースを電子機器に装着して、電池収納ケースに収納された電池から電子機器へと電力を供給することが行われている。電池収納ケースは、電池を収納するケース本体と、ケース本体に収納された電池を覆う蓋とを含む。蓋には放電端子が設けられており、電子機器には放電端子を介して電池からの電力が供給される。
【０００３】
放電端子が短絡すると過大な電流が流れて発熱等の問題が発生するおそれがある。そこで、電池収納ケースを電子機器に装着しない場合には、放電端子が短絡しないよう電池収納ケースに付属のキャリングケースに収納することが行われている。また、特許文献１に記載されているように、放電端子を有する面に樹脂製の絶縁カバーを装着することも一般的に行われている。
【先行技術文献】
【特許文献】
【０００４】
【特許文献１】実開平５−４８２０７号公報
【発明の概要】
【発明が解決しようとする課題】
【０００５】
上述したキャリングケースは、電池収納ケースを取り出した後にキャリングケースを電池収納ケースとは別に保管しなければならないので、紛失のおそれがある。また、特許文献１に記載の絶縁カバーは電池収納ケースとは完全に別体であり、同様に電池収納ケースから取り外した後に絶縁カバーを電池収納ケースとは別に保管しなければならないので、紛失のおそれがある。そこで、短絡防止部材の紛失を防止することができ、放電端子の短絡を防止することができる電池収納ケースが望まれていた。
【０００６】
本発明はこのような要望に対応するため、短絡防止部材の紛失を防止することができ、短絡防止部材によって放電端子の短絡を防止することができる電池収納ケースを提供することを目的とする。
【課題を解決するための手段】
【０００７】
本発明は、上述した従来の技術の課題を解決するため、一面が開放面となっており、電池を収納するケース本体（１）と、前記ケース本体に収納された電池からの電力を電子機器に供給するための放電端子（３）を有し、前記開放面を覆う蓋（２）と、前記蓋に取り付けられ、前記放電端子を露出させる第１の状態と、前記放電端子を覆う第２の状態とを選択的に切り替える端子カバー（４）とを備えることを特徴とする電池収納ケースを提供する。
【０００８】
ここで、前記蓋は前記端子カバーを収納する所定深さの凹部よりなる収納部（２１）を有し、前記収納部は、前記第１の状態のとき前記端子カバーを収納することが好ましい。
【０００９】
前記第１の状態のとき、前記端子カバーの上端面は前記収納部の上端よりも突出していることが好ましい。この構成の一例として、前記第１の状態のとき前記端子カバーにおける前記収納部の底面と対向する面とは反対側の面に第１の凸部（４３）が形成されており、前記第１の凸部の上端面が前記収納部の上端よりも突出している。
【００１０】
前記蓋に前記第１の凸部を収納するための第１の凹部（２５）が形成されており、前記第２の状態のとき、前記第１の凸部は前記第１の凹部に収納されることが好ましい。前記第１の状態のとき前記端子カバーにおける前記収納部の底面と対向する面に第２の凸部（４５）が形成されており、前記収納部の底面には前記第２の凸部を収納する第２の凹部（２３）が形成されており、前記第１の状態のとき、前記第２の凸部は前記第２の凹部に収納されることが好ましい。
【発明の効果】
【００１１】
本発明の電池収納ケースによれば、短絡防止部材の紛失を防止することができ、短絡防止部材によって放電端子の短絡を防止することができる。
【図面の簡単な説明】
【００１２】
【図１】本発明の電池収納ケースの一実施形態であり、端子カバーを蓋より取り外した状態を示す斜視図である。
【図２】本発明の電池収納ケースの一実施形態であり、端子カバーを収納部に収納した状態を示す斜視図である。
【図３】図２における部分断面図である。
【図４】本発明の電池収納ケースの一実施形態であり、端子カバーによって放電端子を覆った状態を示す斜視図である。
【図５】図４における部分断面図である。
【図６】図４に示す状態の電池収納ケースを無線機に装着しようとする状態を示す模式的側面図である。
【発明を実施するための形態】
【００１３】
以下、本発明の電池収納ケースの一実施形態について、添付図面を参照して説明する。図１において、一実施形態の電池収納ケース１００は、電池を収納するケース本体１と蓋２とを備える。ケース本体１は一面が開放した箱状に形成されており、例えば４本の電池を収納する。ケース本体１の一方の端部には、一対の突起１１が形成されている。ケース本体１の他方の端部には、電池収納ケース１００を電子機器に装着するためのフック５が設けられている。
【００１４】
蓋２はケース本体１の開放している一面（開放面）を覆っている。電池は蓋２を外して開放面よりケース本体１内へと収納される。蓋２には、電池収納ケース１００に収納された電池からの電力をここでは図示していない電子機器に供給するための放電端子３が設けられている。放電端子３は、一対の矩形状の金属端子よりなる。
【００１５】
本実施形態の電池収納ケース１００においては、放電端子３の短絡を防止するため、蓋２には端子カバー４が設けられている。また、蓋２には、端子カバー４が放電端子３を覆わず、電池収納ケース１００を電子機器に装着可能な状態である第１の状態と、端子カバー４が放電端子３を覆い、電池収納ケース１００を電子機器に装着不可で放電端子３の短絡を防止する第２の状態とを切り替えることができるような構成が採用されている。図１においては、端子カバー４を蓋２から取り外した状態を示している。端子カバー４は蓋２とは別体であるが、後述するように、端子カバー４は蓋２に取り付けられて不用意に外れないように構成されている。
【００１６】
端子カバー４の具体的な構造について説明する。端子カバー４は所定の厚さの概略板状となっており、絶縁体の弾性素材、例えばシリコンゴムにより形成されている。端子カバー４の蓋２側に位置している端部には、円柱部４１１の先に円錐状部４１２が形成された一対の突出部４１が設けられている。円錐状部４１２は完全な円錐となっている必要はない。円柱部４１１よりも直径が大きい状態から直径が順次小さくなっていく形状であればよく、角錐状でもよい。突出部４１が設けられている側が蓋２に装着される部分であるので、突出部４１側を下端部、反対側の端部を上端部と称することとする。
【００１７】
端子カバー４の下端部の近傍には薄肉部４２が形成されている。上端部近傍の一方の面には、角括弧状の凸部４３が形成されている。凸部４３の上端部側の面には爪４３１が形成されている。端子カバー４の両側面には、凸部４３が設けられている位置と同様な高さの位置に、爪４４が形成されている。図１では見えていない端子カバー４の上端部近傍の他方の面には、凸部４５（図４参照）が形成されている。以上のような構造を有する端子カバー４は一体成形により製造することができる。
【００１８】
次に、蓋２の具体的な構造について説明する。蓋２の放電端子３に対する一方の側には、所定深さの凹部よりなる矩形状の収納部２１が形成されている。収納部２１の放電端子３側の端部はより深い第１の凹部２１１となっており、第１の凹部２１１を除く残りの部分は比較的浅い第２の凹部２１２となっている。第１の凹部２１１の底部には、突出部４１の円錐状部４１２を収納するための一対の穴２２が形成されている。穴２２の直径は円錐状部４１２の底面の直径よりも若干小さいので、円錐状部４１２を穴２２に押し込んで円錐状部４１２が第１の凹部２１１の底部を超すと、円錐状部４１２は容易には穴２２から抜けることがない。これにより、端子カバー４は蓋２に対して取り付けられる。
【００１９】
端子カバー４が蓋２に固定されることによって端子カバー４は蓋２と実質的に一体化し、端子カバー４は蓋２から不用意に外れることはない。従って、端子カバー４を紛失するおそれはほとんどない。勿論、必要に応じて端子カバー４を意図的に蓋２から取り外すことが可能である。
【００２０】
第２の凹部２１２の底部には、凸部４５を収納するための凹部２３が形成されている。収納部２１の両側面側の双方の内壁面には、端子カバー４の爪４４を収納するための凹部２４が形成されている。凹部２４は爪４４ががたつくことなく嵌合されるような大きさとなっている。凸部４５を凹部２３に収納した際に、凸部４５が凹部２３に嵌合されるよう凹部２３と凸部４５の大きさを設定してもよい。
【００２１】
さらに、蓋２の放電端子３に対する他方の側には、凸部４３を収納するための所定深さの角括弧状の凹部２５が形成されている。図１では見えていないが、凹部２５の内壁面には爪４３１を収納するための凹部２５１（図５参照）が形成されている。凹部２５１は爪４３１ががたつくことなく嵌合されるような大きさとなっている。
【００２２】
以上のような構成を有する電池収納ケース１００を電子機器に装着して使用する場合について説明する。図２に示すように、電池収納ケース１００を電子機器に装着しようとする場合には、端子カバー４を収納部２１に収納して第１の状態とする。前述のように、爪４４が凹部２４に嵌合するので、端子カバー４は収納部２１内に固定される。
【００２３】
図３は、図２において凸部４５及び爪４３１が存在する部分で、フック５側の端部と突起１１側の端部とを結ぶ方向に端子カバー４及びその周辺部分を切断した部分断面図である。図３では、断面よりも奥に位置する突出部４１も図示している。図３に示すように、端子カバー４は収納部２１における第２の凹部２１２の底面に沿うように薄肉部４２で折り曲げられて収納部２１内に収納されている。端子カバー４の上端部と収納部２１の端部との間には隙間２６がある。後述する第２の状態とする場合には、隙間２６に指を入れて端子カバー４の端部を持ち上げることによって、端子カバー４を収納部２１から取り外すことができる。
【００２４】
図２の状態において、凸部４３の上端面４３ｔは収納部２１の上端２１ｔよりも若干突出していることが好ましい。ここでの上端面４３ｔ及び上端２１ｔにおける上とは、端子カバー４の厚さ方向、即ち、第２の凹部２１２の底面と対向する面に直交する方向で第２の凹部２１２の底面から離れる方向を指している。凸部４３の上端面４３ｔが収納部２１の上端２１ｔより突出していると、第１の状態となっている電池収納ケース１００を電子機器に装着しようとして押し当てることにより凸部４３が弾性変形する。これにより電池収納ケース１００と電子機器との間には両者を広げる方向に反力が働くので、電池収納ケース１００を電子機器に装着した状態での電池収納ケース１００のがたつきが抑えられる。
【００２５】
次に、図４及び図５を用いて第２の状態について説明する。図２の状態で隙間２６に指を入れて端子カバー４の端部を持ち上げ、端子カバー４を放電端子３側に倒すと、図４の状態となる。前述のように、凸部４３は凹部２５に収納され、爪４３１が凹部２５１に嵌合することにより、端子カバー４は蓋２に固定される。図５は、図４において凸部４５及び爪４３１が存在する部分で、フック５側の端部と突起１１側の端部とを結ぶ方向に端子カバー４及びその周辺部分を切断した部分断面図である。図５では、断面よりも奥に位置する突出部４１も図示している。図５に示すように、端子カバー４は放電端子３を覆うように薄肉部４２で折り曲げられて第２の状態で固定されている。端子カバー４が放電端子３を覆っているので、放電端子３の短絡が防止される。
【００２６】
図３に示す第１の状態では、突出部４１の円錐状部４１２は第１の凹部２１１の底部とは離れた下方に位置している。一方、図５に示す第２の状態では、端子カバー４が第１の状態のときの位置よりも上方に位置するので、円錐状部４１２は第１の凹部２１１の底部の近傍に位置している。図５に示す例では、円錐状部４１２は第１の凹部２１１の底部と接触している。突出部４１の円柱部４１１は、図３と図５との円錐状部４１２の上下方向の位置変位に対応した長さとなっている。
【００２７】
図４の第２の状態から図２の第１の状態にするには、端子カバー４の上端部を指で持ち上げればよい。２本の指を一対の爪４４に引っ掛けて端子カバー４を持ち上げてもよい。
【００２８】
図６は、第２の状態となっている電池収納ケース１００を誤って電子機器の一例としての無線機１０に装着しようとした状態を示している。突起１１は電池収納ケース１００を無線機１０に装着する際の位置合わせとなる。第２の状態の電池収納ケース１００を無線機１０に装着しようとすると、凸部４５が無線機１０の電池収納ケース１００と対向する面に当たる。すると、凸部４５による反力で異物を挟み込んだような感覚となる。従って、ユーザは電池収納ケース１００が第２の状態となっていることを容易に認識することができる。
【００２９】
本発明は以上説明した本実施形態に限定されることはなく、本発明の要旨を逸脱しない範囲において種々変更可能である。
【符号の説明】
【００３０】
１  ケース本体
２  蓋
３  放電端子
４  端子カバー
５  フック
１０  無線機（電子機器）
１１  突起
２１  収納部
２２  穴
２３  凹部（第２の凹部）
２４  凹部
２５  凹部（第１の凹部）
４１  突出部
４２  薄肉部
４３  凸部（第１の凸部）
４４，４３１  爪
４５  凸部（第２の凸部）
１００  電池収納ケース
【図１】
2012227100.tif 000003
【図２】
2012227100.tif 000004
【図３】
2012227100.tif 000005
【図４】
2012227100.tif 000006
【図５】
2012227100.tif 000007
【図６】
2012227100.tif 000008